(57)【要約】      （修正有）【課題】留具をリストバンドにより少ない操作で着脱できるようにした上で、できるだけ外れ難くすると共に、装着感を向上させたリストバンドを提供する。【解決手段】弾性変形可能なリストバンドと、環状形態のリストバンドの両端部を連結する留具とを備え、リストバンドは、その長手方向の両端部において間隔をあけて複数の雌孔を備え、留具は、プレートと、雌孔に対応させてプレートから突出する第１、第２の雄フックとを備え、雄フックは、プレートの裏面から突出すると共にリストバンドの両端部を貫通する貫通軸と、貫通軸の先部から張り出す爪とを備え、雄フックの爪とプレートとは、環状形態にしたリストバンドの両端部を挟むようにその厚み方向の両面に対向するものであり、第１の雄フックの爪の寸法は、環状形態のリストバンドの長手方向に張り出す最大長が、長手方向における軸部の太さよりも長い。【選択図】図１
0003203037.tif 000002
【実用新案登録請求の範囲】
【請求項１】
弾性変形可能なリストバンドと、環状形態のリストバンドの両端部を厚み方向に重ね合わせた状態で連結する留具とを備え、
リストバンドは、その長手方向の両端部において長手方向に間隔をあけて複数の雌孔を備え、
留具は、プレートと、異なる雌孔に対応させてプレートから突出する第１、第２の雄フックとを備え、
各雄フックは、プレートの裏面から突出すると共に環状形態にしたリストバンドの両端部を互いの雌孔において貫通する貫通軸と、貫通軸の先部から張り出す爪とを備え、
各雄フックの爪とプレートとは、環状形態にしたリストバンドの両端部を挟むようにその厚み方向の両面に対向するものであり、
第１の雄フックの爪は、環状形態のリストバンドの長手方向に張り出す最大長が、当該長手方向における軸部の太さよりも長いことを特徴とするリストバンドセット。
【請求項２】
第１の雄フックの爪は、前記最大長となる張り出し方向を、リストバンドの長手方向であって且つ第２の雄フックから離れる方向にしてあることを特徴とする請求項１記載のリストバンドセット。
【請求項３】
第１の雄フックの爪は、リストバンドの長手方向に張り出す部分がプレートの外周よりも外側に張り出していることを特徴とする請求項２に記載のリストバンドセット。
【請求項４】
第１の雄フックの爪は、リストバンドの幅方向に延長する寸法を、プレートの外周側へ向かって徐々に幅狭にしてあることを特徴とする請求項３に記載のリストバンドセット。
【請求項５】
各貫通軸は、プレートから突出する全長の途中から外周側に張り出す節部を備え、
節部は、環状形態のリストバンドの重ね合わせた両端部のうち、プレートに対して遠い方の端部の雌孔に収容されると共に、プレートに対して近い方の端部の雌孔の外周よりも外側に張り出すことを特徴とする請求項１、２、３又は４に記載のリストバンドセット。
【請求項６】
プレートは、表面と裏面の少なくとも一方に、印刷された情報表示部を備えることを特徴とする請求項１、２、３、４又は５に記載のリストバンドセット。
【考案の詳細な説明】
【技術分野】
【０００１】
本考案は、リストバンドと、リストバンドを環状に保持するためにリストバンドの両端部を連結する留具とを備えるリストバンドセットに関する。
【背景技術】
【０００２】
リストバンドセットの一例として、弾性変形可能なリストバンドと、リストバンドを環状にした形態でリストバンドの両端部を連結するクリップとを備えるものが知られている（特許文献１）。このリストバンドはその両端部に雌孔としてのセット穴とバンド穴を備える。またクリップは、ヒンジを中心にして２枚のプレートが開閉する構成で、より詳しくは、セット穴およびバンド穴を通すためのボスを備えるオスクリップと、ボスを留めるための留穴および凹部を備えるメスクリップと、オスクリップおよびメスクリップを開閉可能に連結するヒンジとを備えるものである。そしてこのクリップは、二枚のプレートでリストバンドの両端部を挟むことにより、リストバンドから外れ難いようにしてある。
【先行技術文献】
【特許文献】
【０００３】
【特許文献１】特許４５８９５７３号公報
【考案の概要】
【考案が解決しようとする課題】
【０００４】
しかしこのクリップをリストバンドに取り付ける場合には、環状形態にしたリストバンドの両端部をボスに通す操作と、二枚のプレートであるオスクリップとメスクリップを閉じる操作が必要となる。取り外す場合も同様である。そうすると、より少ない操作でクリップを着脱できるようにすることが望ましい。
【０００５】
またボスは、オスクリップのプレートから突出する軸部と、軸部の先からその外側に張り出す爪部とを備えるもので、爪部の張り出す最大長は軸部の太さよりも短くなっている。このように爪部が短いと、リストバンドのバンド穴にボスを貫通させたとしても、ボスはバンド穴から外れ易いということになる。そしてそれを防ぐために、爪部をバンド穴だけでなくメスクリップの留穴にも貫通させて、メスクリップとオスクリップとを閉じた状態に保持し、クリップを外れ難くしていると言える。したがってクリップをより少ない操作で着脱できるようにした場合には、留具をリストバンドから外れ難くすることが望ましい。特にリストバンドセットを認知症患者に使用する場合には、介護者はリストバンドセットを着脱し易くしながらも、患者自身による取り外し行為をできる限り防止したいという要望がある。
【０００６】
また上記したリストバンドセットは、オスクリップとメスクリップとを閉じた形態に保持するために、オスクリップのボスの先部である爪部を、メスクリップの凹部に引掛ける構造を採用している。そのため、オスクリップのボスを突出するプレート部分と爪部との間には、環状形態にしたリストバンドの重ね合わせた両端部だけでなく、メスクリップのプレートが挟まれている。そうするとボスは、オスクリップのプレートからの突出長が、リストバンドの２枚分の厚みよりも大幅に長くなるので、ボス側を手首に向けた状態でリストバンドを装着すると、装着感に悪影響を与える。
【０００７】
本考案は、上記実情を考慮したもので、留具をリストバンドにより少ない操作で着脱できるようにした上で、留具をリストバンドからできるだけ外れ難くすると共に、装着感を向上させることを目的とする。
【課題を解決するための手段】
【０００８】
本考案のリストバンドセットは、弾性変形可能なリストバンドと、環状形態のリストバンドの両端部を厚み方向に重ね合わせた状態で連結する留具とを備える。リストバンドは、その長手方向の両端部において長手方向に間隔をあけて複数の雌孔を備えるものである。留具は、プレートと、異なる雌孔に対応させてプレートから突出する第１、第２の雄フックとを備えるものである。また各雄フックは、プレートから突出すると共に環状形態にしたリストバンドの両端部を互いの雌孔において貫通する貫通軸と、貫通軸の先部から張り出す爪とを備える。そして各雄フックの爪とプレートとは、環状形態にしたリストバンドの両端部を挟むようにその厚み方向の両面に対向するものであり、第１の雄フックの爪は、環状形態のリストバンドの長手方向に張り出す最大長が、当該長手方向における軸部の太さよりも長いものである。
【０００９】
また第１の雄フックの爪は、前記最大長となる張り出し方向を、リストバンドの長手方向としているので、たとえば第２の雄フックに接近する方向にしても良いが、仮に第１の雄フックの爪を第２の雄フックに接近させすぎると、第１、第２の雄フックをリストバンドの雌孔に抜き差しし難くなる。それを防ぎつつも、第１の雄フックをリストバンドから外れ難くするには次のようにすることが望ましい。
すなわち第１の雄フックの爪は、前記最大長となる張り出し方向を、リストバンドの長手方向であって且つ第２の雄フックから離れる方向にしてあることである。
【００１０】
また第１の雄フックの爪は、前記最大長となる張り出し方向をリストバンドの長手方向であって且つ第２の雄フックから離れる方向にしてある場合に、リストバンドの長手方向に張り出す部分が、どの程度なのかは問わないが、第１の雄フックをリストバンドから外れ難くするには次のようにすることが望ましい。
第１の雄フックの爪は、リストバンドの長手方向に張り出す部分がプレートの外周よりも外側に張り出していることである。
【００１１】
また第１の雄フックの爪は、リストバンドの長手方向に張り出す部分がプレートの外周よりも外側に張り出している場合に、リストバンドの幅方向に延長する寸法を問わないが、留具をリストバンドに着脱し易くするには次のようにすることが望ましい。
すなわち第１の雄フックの爪は、リストバンドの幅方向に延長する寸法を、プレートの外周側へ向かって徐々に幅狭にしてあることである。
【００１２】
また貫通軸の形状は問わないが、リストバンドの雌孔から外れ難くするには次のようにすることが望ましい。
すなわち各貫通軸は、プレートから突出する全長の途中から外周側に張り出す節部を備え、節部は、環状形態のリストバンドの重ね合わせた両端部のうち、プレートに対して遠い方の端部の雌孔に収容されると共に、プレートに対して近い方の端部の雌孔の外周よりも外側に張り出すことである。
【００１３】
またプレートはその表裏面がどのようになっているのかを問わないが、リストバンドセットを手首に装着している者と、リストバンドとを関連付けるには次のようにすることが望ましい。
すなわちプレートは、表面と裏面の少なくとも一方に、印刷された情報表示部を備えることである。
【考案の効果】
【００１４】
本考案のリストバンドセットによれば、各雄フックの爪とプレートが、環状形態にしたリストバンドの両端部を単に挟んでいるのではなく、厚み方向の両面に対向するものなので、留具を外す場合にはリストバンドの端部を爪から外すだけでよく、従来のような二枚のプレートを開閉する操作が不要になり、取り外し操作が容易になる。その逆に取付操作も容易になる。
そのうえ第１の雄フックの爪は、環状形態のリストバンドの長手方向に張り出す最大長が、当該長手方向における軸部の太さよりも長いので、従来のような爪の張り出す最大長が軸部の太さよりも短いものに比べれば、爪がリストバンドを押さえる面積が広くなり、その結果として、留具をリストバンドから取り外し難くなる。
また各雄フックの爪がリストバンドの両端部の厚み方向の一面に対向するものなので、従来に比べて、プレートに対する雄フックの突出長を短くできる。そして雄フックの先端側を内周側に向けてリストバンドを手首に装着すれば、プレートに対する雄フックの突出長さが短いことから、装着感を向上させることができる。
【００１５】
また第１の雄フックの爪が前記最大長となる張り出し方向をリストバンドの長手方向であって且つ第２の雄フックから離れる方向にしてあるリストバンドセットであれば、たとえば第１の雄フックの爪を第２の雄フックに接近させたリストバンドに比べて、第１、第２の雄フックをリストバンドの雌孔に抜き差しし易くしつつも、第１の雄フックをリストバンドから外れ難くできる。
【００１６】
また第１の雄フックの爪のうちリストバンドの長手方向に張り出す部分がプレートの外周よりも外側に張り出しているリストバンドセットであれば、第１の雄フックをリストバンドの雌孔から外れ難くすることができる。
【００１７】
また第１の雄フックの爪がリストバンドの幅方向に延長する寸法をプレートの外周側へ向かって徐々に幅狭にしてあるリストバンドセットであれば、留具をリストバンドに着脱し易くできる。
【００１８】
また各貫通軸がプレートから突出する全長の途中から外周側に張り出す節部を備えるリストバンドセットであれば、環状形態のリストバンドの両端部のうち、プレートに対して遠い方の端部の雌孔に節部が収容されると共に、プレートに対して近い方の端部の雌孔の外周よりも外側に節部が張り出しているので、各雄フックがリストバンドの両端部のうちプレートに対して近い方の端部の雌孔から外れ難くなる。
【００１９】
またプレートが表面と裏面の少なくとも一方に、印刷された情報表示部を備えるリストバンドセットであれば、情報表示部の内容と、リストバンドセットを手首に装着している者を関連付けることが可能となる。
【図面の簡単な説明】
【００２０】
【図１】本考案の第一実施形態のリストバンドセットを示す使用状態図で、一部を断面図として拡大してある。
【図２】（ａ）（ｂ）（ｃ）（ｄ）図は、リストバンドを示す平面図、正面図、下面図、Ｘ−Ｘ線断面図である。
【図３】（ａ）（ｂ）（ｃ）（ｄ）（ｅ）（ｆ）図は、留具を示す平面図、正面図、下面図、左側面図、Ｙ−Ｙ線断面図、Ｚ−Ｚ線断面図である。
【考案を実施するための形態】
【００２１】
本考案の第一実施形態のリストバンドセット１は図１〜３に示すように、帯状のリストバンド２と、リストバンド２を環状形態に連結する留具３とを備える。
【００２２】
リストバンド２は、平板状の形態から環状形態に弾性変形可能なもので、合成樹脂製品である。リストバンド２は、帯状であって、長手方向（長辺方向）の全長が短手方向（短辺方向）の全長に比べて充分に長いものである。リストバンド２は、その厚み方向に貫通する複数の雌孔２１を長手方向の全長に亘って等間隔をあけて備えている。
【００２３】
雌孔２１は、図２の例では、リストバンド２の長手方向に沿って一列に並んでおり、最も左端に位置する雌孔２１を除いて、リストバンド２の厚み方向から視て、短手方向に延長する細長い形状となっている。ちなみに雌孔２１は、長手方向に対向すると共に短手方向に延長する二つの主辺と、その二つの主辺の対向する端同士を繋ぐ従片とを備える。従辺は、円弧状に膨らむ形態である。ここでこの雌孔２１の形状を孔基本形状と称する。
【００２４】
最も左端の雌孔２１は、表裏方向から視てＴ字状である。図２ではこの雌孔に、符号を２１，２１ａと併記してある。またＴ字状の雌孔２１ａは、孔基本形状と同一形状であってリストバンド２の短手方向に延長する縦部分２２と、当該縦部分２２の短手方向の中間部からリストバンド２の長手方向に延長する横部分２３とを備えるもので、この雌孔２１の形態を孔特殊形状と称する。横部分２３は、その幅（短手方向の幅）を、縦部分２２の幅（長手方向の幅）よりも狭くしてある。また横部分２３は、縦部分２２から延長する方向が、雌孔２１では無く、リストバンド２の左端に向かう方向である。
【００２５】
リストバンド２は、厚み方向の両面であって外周（縁部）よりも内側には凹部２４，２５をそれぞれ備える。したがってリストバンド２は、各凹部２４，２５において段差状にくぼんでいる。また各凹部２４，２５はリストバンド２の長手方向の異なる位置に形成されている。また厚み方向の一面側の凹部２４は図２（ｃ）に示されており、リストバンド２の一端部である右端部から、他端部である左端部に達する直前まで形成され、細長い矩形状である。一方、厚み方向の他面側の凹部２５は図２（ａ）に示されており、リストバンド２の他端部である左端部に形成され、リストバンド２の長手方向に延長する長辺が、リストバンド２の短手方向に延長する短辺よりも僅かに長い矩形状である。各凹部２４，２５には、その外周（縁部）よりも内側に複数の雌孔２１が配置されている。厚み方向の他面側の凹部２５は図２（ａ）に示すように２つの雌孔２１，２１を備えており、そのうちの１つが前記したＴ字状の雌孔２１ａとなっている。
【００２６】
留具３は、リストバンド２の厚み方向の一面に裏面を重ね合わせるプレート４と、プレート４の裏面から突出すると共に環状形態のリストバンド２の両端部を連結する複数の雄フック５とを備える。本実施形態では、雄フックの個数は２つである。ちなみに説明する上で区別する場合には、第１の雄フック、第２の雄フックと称すると共に、第１の雄フックには５，５Ａ、第２の雄フックには５，５Ｂと図面において符号を併記してある。
【００２７】
プレート４はその肉厚を、左側の凹部２５の深さよりも厚くしてある。またプレート４の表面の一部を情報表示部４１とする。情報表示部４１には、文字、図形、記号やこれらの結合が示され、図示の例では二次元コードが示されている。この情報表示部４１の内容は、インクジェットプリンターによりプレート４に印刷されたものである。プレート４は、矩形状であって、詳しくはリストバンド２の他面側の凹部２５よりも少し小さな相似形状である。ちなみに図示の例のプレート４は、対向する２つの長辺４ａ，４ｂと、対向する２つの短辺４ｃ，４ｄとを備える形状である。またプレート４の表面および裏面は、平面状であり、裏面からは隣り合う２つの雌孔２１の間隔とほぼ同じ間隔をあけて２つの雄フック５，５が突出している。より詳しくは２つの雄フック５，５は、プレート４の短辺方向の中間部であって、プレート４の長辺方向の両端部よりも内側においてプレート４の長辺方向に間隔をあけて突出している。なお２つの雄フック５，５の突出位置は、プレート４の長辺方向に対称的な位置となっている。
【００２８】
各雄フック５は、プレート４の裏面からプレート４の厚み方向に突出する貫通軸５１と、貫通軸５１の先部からその周囲に張り出す爪５２とを備える。
【００２９】
貫通軸５１は、雌孔２１を貫通するもので、棒状に延長する軸部５１ａと、軸部５１ａのうちプレート４から突出する全長の途中からその周囲に張り出す節部５１ｂとを備える。
【００３０】
軸部５１ａは、その突出方向に直交する方向の断面形状が、雌孔２１よりも少し小さな相似形状をしている。図示の例では、第１の雄フック５Ａの軸部５１ａにおける断面形状は、その突出方向の全長のうちプレート４から節部５１ｂに達するまでの部分では、孔特殊形状の雌孔２１ａのＴ字状よりも少し小さな相似形状、つまり雌孔２１ａの縦部分２２と横部分２３にそれぞれ対応する軸縦部分５１ａ１と軸横部分５１ａ２を有する形状をし、節部５１ｂよりもプレート４から遠ざかる部分では、雌孔２１のうち孔基本形状よりも少し小さな相似形状をしている。第２の雄フック５Ｂの軸部５１ａにおける断面形状は、雌孔２１のうち孔基本形状よりも少し小さな相似形状をしている。
【００３１】
節部５１ｂは、鍔状であって、軸部５１ａの外周の全周に亘って張り出すもので、その外周を凹部２５の孔基本形状の雌孔２１の外周よりも大きなものとし、凹部２４の雌孔２１の外周以下の大きさにしてある。また節部５１ｂの外周は、プレート４側に近づくほど大きくなる末広がり形状である。節部５１ｂとプレート４との間隔Ｗ１は、凹部２５の雌孔２１の周辺部におけるリストバンド２の肉厚とほぼ同じ寸法にしてあり、それにより、軸部５１ａを凹部２５の雌孔２１に通した状態のリストバンド２を節部５１ｂとプレート４とで挟む。
【００３２】
爪５２は、軸部５１ａの外周の全周に亘って張り出すものである。
第１の雄フック５Ａの爪５２は、軸部５１ａの外周全周のうちプレート４の長辺方向であって第２の雄フック５Ｂから離れる方向（図３（ｃ）での左方向）が、軸部５１ａから最も張り出すように形成され、この方向以外では第１の雄フック５Ａの爪５２は、プレート４の厚み方向から視て、プレート４の外周よりも内側に張り出すように形成されている。ちなみにプレート４の長辺方向は、留具３をリストバンド２に取り付けた場合には、リストバンド２の長手方向になる。
第２の雄フック５Ｂの爪５２も軸部５１ａの外周全周のうちプレート４の長辺方向であって第１の雄フック５Ａから離れる方向が、軸部５１ａから最も張り出すように形成されている。またプレート４の厚み方向から視て、第２の雄フック５Ｂの爪５２は、その全周がプレート４の外周よりも内側に張り出すように形成されている。そして第１、第２の雄フック５Ａ，５Ｂの爪５２，５２同士は、プレート４の長辺方向に軸部５１ａの太さよりも広い間隔をあけて離れている。
【００３３】
第１の雄フック５Ａの爪５２は、リストバンド２の長手方向に張り出す最大長Ｌ１が、当該長手方向における軸部５１ａの太さＤよりも長く形成されると共に、その部分がプレート４の外周よりも外側に張り出している。また第１の雄フック５Ａの爪５２は、プレート４の厚み方向から視ると、プレート４の短辺に平行であってプレート４の長辺方向に対向する二辺５２ａ，５２ｂと、これら二辺５２ａ，５２ｂの両端をつなぐと共にプレート４の短辺方向に対向する二辺５２ｃ，５２ｃとを備えている。プレート４の長辺方向に対向する二辺５２ａ，５２ｂのうちプレート４よりも外側に位置する一辺５２ａは、プレート４の内側に位置する一辺５２ｂよりも、全長が短く且つプレート４の短辺方向の中央側に位置している。そしてプレート４の短辺方向に対向する二辺５２ｃ，５２ｃは、プレート４の内側に位置する一辺５２ｂから、プレート４よりも外側に位置する一辺５２ａに向かって徐々に接近するように屈曲しており、それゆえ第１の雄フック５Ａの爪５２は、リストバンド２の幅方向に延長する寸法Ｗ２を、プレート４の外周側へ向かって徐々に幅狭にしてある。また第１の雄フック５Ａの爪５２は、前記した最大長Ｌ１側の先部であってプレート４に対向する面に、傾斜面５２ｓを備える。傾斜面５２ｓは、最大長Ｌ１側の先端から軸縦部分５１ａ１に接近するほどプレート４に近づくように傾いている。
【００３４】
第２の雄フック５Ｂの爪５２は、プレート４の厚み方向から視ると、プレート４の長辺および短辺方向にほぼ平行な矩形状に形成されている。
【００３５】
上記したリストバンドセット１は例えば次のようにして使用する。
（１）平板状のリストバンド２の一端部に留具３を取り付ける。具体的にはリストバンド２の一端部の凹部２５に留具３のプレート４が嵌るようにして、留具３の第１、第２の雄フック５Ａ，５Ｂを、リストバンド２の凹部２５の２つの雌孔２１，２１に差し込む。またこのとき当然ではあるが、第１の雄フック５Ａの軸部５１ａを、Ｔ字状の雌孔２１に挿入するようにする。そうすると、節部５１ｂとプレート４が対応する雌孔２１の周囲をリストバンド２の両面から挟むようになる。
（２）次にリストバンド２を使用者の手首に巻き付けるようにして環状に湾曲させ、図１に示すようにリストバンド２の両端部を重ね合わせると共に、留具３が付いていない方の端部の２つの雌孔２１，２１に、第１、第２の雄フック５Ａ，５Ｂを差し込む。そうすると第１、第２の雄フック５Ａ，５Ｂの爪５２，５２と、プレート４とは、環状形態となったリストバンド２の重なり合う両端部を挟み、当該重なり合う両端部の厚み方向の両面に対向するようになる。また環状形態にしたリストバンド２の両端部を互いの雌孔２１において、貫通軸５１は、貫通することになる。ちなみにこのとき爪５２は環状形態のリストバンド２の内周側に位置し、留具３のプレート４はリストバンド２の外周側に位置している。
【００３６】
また上記実施形態のリストバンドセット１は以下の効果を有する。各雄フック５の爪５２とプレート４が、環状形態にしたリストバンド２の両端部を単に挟んでいるのではなく、厚み方向の両面に対向するものなので、留具３を外す場合にはリストバンド２の端部を爪５２から外すだけでよく、従来のような二枚のプレート４を開閉する操作が不要になり、取り外し操作が容易になる。その逆に取付操作も容易になる。
そのうえ第１の雄フック５Ａの爪５２は、環状形態のリストバンド２の長手方向に張り出す最大長Ｌ１が、当該長手方向における軸部５１ａの太さよりも長いので、従来のような爪５２の張り出す最大長が軸部の太さよりも短いものに比べれば、爪５２がリストバンド２を押さえる面積が広くなり、その結果として、留具３をリストバンド２から取り外し難くなる。
また各雄フック５の爪５２がリストバンド２の両端部の厚み方向の一面に対向するものなので、従来に比べて、プレート４に対する雄フック５の突出長を短くできる。そして雄フック５の先端側（爪５２側）を内周側に向けてリストバンド２を手首に装着すれば、プレート４に対する雄フック５の突出長さが短いことから、装着感を向上させることができる。
【００３７】
また第１の雄フック５Ａの爪５２が前記最大長Ｌ１となる張り出し方向をリストバンド２の長手方向であって且つ第２の雄フック５Ｂから離れる方向にしてあるので、第１の雄フック５Ａの爪５２を第２の雄フック５Ｂに接近させた場合に比べて、第１、第２の雄フック５Ｂをリストバンド２の雌孔２１に抜き差しし易くしつつも、第１の雄フック５Ａをリストバンド２から外れ難くできる。ちなみに第１の雄フック５Ａの爪５２の先部が傾斜面５２ｓとなっているので、その雌孔２１に爪５２を抜き差しし易い。
【００３８】
また第１の雄フック５Ａの爪５２のうちリストバンド２の長手方向に張り出す部分がプレート４の外周よりも外側に張り出しているので、第１の雄フック５Ａをリストバンド２の雌孔２１から外れ難くすることができる。
【００３９】
また第１の雄フック５Ａの爪５２がリストバンド２の幅方向に延長する寸法Ｗ２をプレート４の外周側へ向かって徐々に幅狭にしてあるので、留具３をリストバンド２に着脱し易くできる。
【００４０】
また各貫通軸５１は、プレート４からの突出方向の途中から外周側に張り出す節部５１ｂを備えるので、両端部を重ね合わせたリストバンド２の両端部のうち、プレート４に対して遠い方の端部の雌孔２１に節部５１ｂが収容されると共に、プレート４に対して近い方の端部の雌孔２１の外周よりも外側に節部５１ｂが張り出しているので、各雄フック５がリストバンド２の両端部のうちプレート４に対して近い方の端部の雌孔２１から外れ難くなる。
【００４１】
またプレート４が表面に印刷された情報表示部４１を備えるので、情報表示部４１の内容と、リストバンドセット１を手首に装着している者を関連付けることが可能となる。
【００４２】
本考案は上記実施形態に限定されるものではなく、その趣旨を逸脱しない範囲において適宜変更可能である。たとえば厚み方向から視たプレート４の形状は、矩形状に限らず、その他の形状であっても良い。また情報表示部４１は、プレート４の表面側に限らず、裏面側に備えるものであっても良い。
【符号の説明】
【００４３】
１  リストバンドセット
２  リストバンド
２１  雌孔
２１ａ  雌孔
２２  縦部分
２３  横部分
２４  凹部
２５  凹部
３  留具
４  プレート
４ａ，ｂ  長辺
４ｃ，ｄ  短辺
４１  情報表示部
５  雄フック
５Ａ  第１の雄フック
５Ｂ  第２の雄フック
５１  貫通軸
５１ａ  軸部
５１ａ１  軸縦部分
５１ａ２  軸横部分
５１ｂ  節部
５２  爪
５２ａ、ｂ、ｃ  辺
５２ｓ  傾斜面
Ｗ１  節部とプレートとの間隔
Ｗ２  爪がリストバンドの幅方向に延長する寸法
Ｌ１  爪がリストバンドの長手方向に張り出す最大長
Ｄ  軸部の太さ
【図１】
0003203037.tif 000003
【図２】
0003203037.tif 000004
【図３】
0003203037.tif 000005